(57)【要約】【課題】本発明は、原稿の裏写りを抑制する精度を向上させることを目的とする。【解決手段】原稿読み取り装置は、それぞれ反射率が異なる原稿押さえを背面にした原稿の原稿読み取り情報を取得する取得部と、取得部により取得された原稿読み取り情報と、原稿押さえの反射率とを用いて、原稿読み取り情報を補正する補正部と、を備える。【選択図】図１
2011040857.tif 000002
【特許請求の範囲】
【請求項１】
原稿読み取り装置であって、
複数の反射率を有する原稿押さえに対向して原稿の原稿読み取り情報を取得する取得部
と、
前記取得部により取得された前記原稿読み取り情報と、前記原稿押さえの反射率とを用
いて、前記原稿読み取り情報を補正する補正部と、を備える原稿読み取り装置。
【請求項２】
請求項１に記載の原稿読み取り装置において、
前記取得部は、
原稿の搬送方向に並んで配置され、それぞれが原稿の読み取りを行う少なくとも２つの
読取部と、
各前記読取部と対向する位置にそれぞれ配置され、前記原稿と接触する側の接触面の反
射率がそれぞれ異なる少なくとも２つの原稿押さえと、を備え、
前記原稿読み取り情報は、前記接触面を背面にした前記原稿を前記少なくとも２つの読
取部によりそれぞれ読み取ることで取得された情報である原稿読み取り装置。
【請求項３】
請求項２に記載の原稿読み取り装置において、
前記取得部は、前記読取部および前記原稿押さえをそれぞれ少なくとも５つ備えている
原稿読み取り装置。
【請求項４】
請求項１に記載の原稿読み取り装置において、
前記取得部は、
原稿の読み取りを行う読取部と、
前記原稿の背面に配置され、前記原稿と接触する接触面の反射率を変更可能な原稿押さ
えと、を備え、
前記原稿読み取り情報は、前記読取部が異なる少なくとも２つの反射率に設定された前
記接触面に対向して原稿をそれぞれ読み取ることで取得された情報である原稿読み取り装
置。
【請求項５】
請求項４に記載の原稿読み取り装置において、
前記補正部は、異なる少なくとも５つの反射率に設定された前記接触面を背面にして読
み取られた前記原稿の原稿読み取り情報と、前記接触面に設定された前記少なくとも５つ
の反射率とを用いて、前記原稿読み取り情報を補正する原稿読み取り装置。
【請求項６】
画像処理方法であって、
複数の反射率を有する原稿押さえを背面にした原稿の画像データを取得する工程と、
前記原稿の画像データと、前記原稿押さえの反射率とを用いて、前記画像データを補正
する工程と、を備える画像処理方法。
【請求項７】
原稿読み取り方法であって、
複数の反射率を有する原稿押さえを背面にして原稿を読み取る工程と、
前記読み取りにより取得された原稿読み取り情報と、前記原稿押さえの反射率とを用い
て、前記原稿読み取り情報を補正する工程と、を備える原稿読み取り方法。
【請求項８】
原稿読み取り方法であって、
少なくとも２つの反射率に設定された原稿押さえを背面にして原稿を読み取る工程と、
前記読み取りにより取得された原稿読み取り情報と、前記設定された原稿押さえの反射
率とを用いて、前記原稿読み取り情報を補正する工程と、を備える原稿読み取り方法。
【発明の詳細な説明】
【技術分野】
【０００１】
本発明は、原稿読み取り装置、原稿読み取り方法および画像処理方法に関する。
【背景技術】
【０００２】
従来から、スキャナーなどの原稿読み取り装置において、読み取った原稿の読み取り画
像に、原稿読み取り面の裏側に記載された内容や原稿押さえ（スキャナーの対向面）の汚
れ等が裏写りすることが知られている。この問題の少なくとも一部を解決するために、原
稿押さえの色を変えて原稿の読み取りをおこなう技術が知られている（特許文献１）。
【先行技術文献】
【特許文献】
【０００３】
【特許文献１】特開昭５６−２１１６３号公報
【特許文献２】特開平５−１４７１７号公報
【特許文献３】特開平５−２２５７２号公報
【特許文献４】特開平１１−２８４８１０号公報
【特許文献５】特開平１１−２９８６９４号公報
【発明の概要】
【発明が解決しようとする課題】
【０００４】
しかし、上記の場合、原稿押さえの色の違いが、読み取り画像に現れる不具合が生じる
虞があるなど、原稿の裏写りを抑制する技術についてはなお向上の余地があった。
【０００５】
本発明は、上記した従来の課題の少なくとも一部を解決するためになされた発明であり
、原稿の裏写りを抑制する精度を向上させることを目的とする。
【課題を解決するための手段】
【０００６】
上記課題の少なくとも一部を解決するために本願発明は以下の態様を採る。
【０００７】
第１の態様は、原稿読み取り装置を提供する。本発明の第１の態様に係る原稿読み取り
装置は、複数の反射率を有する原稿押さえ（後述の読取部の対向面）に対向して原稿の原
稿読み取り情報を取得する取得部と、前記取得部により取得された前記原稿読み取り情報
と、前記原稿押さえの反射率とを用いて、前記原稿読み取り情報を補正する補正部と、を
備える。
【０００８】
第１の態様に係る原稿読み取り装置によれば、反射率がそれぞれ異なる原稿押さえを背
面にした原稿の原稿読み取り情報と、原稿押さえの反射率とを用いて原稿の原稿読み取り
情報を補正するため、原稿の裏写りを精度良く抑制することができる。
【０００９】
第１の態様に係る原稿読み取り装置において、前記取得部は、原稿の搬送方向に並んで
配置され、それぞれが原稿の読み取りを行う少なくとも２つの読取部と、各前記読取部と
対向する位置にそれぞれ配置され、前記原稿と接触する側の接触面の反射率がそれぞれ異
なる少なくとも２つの原稿押さえと、を備え、前記原稿読み取り情報は、前記接触面を背
面にした前記原稿を前記少なくとも２つの読取部によりそれぞれ読み取ることで取得され
た情報であってもよい。この場合、取得部は、それぞれ反射率の異なる原稿押さえを背面
にした原稿の原稿読み取り情報を容易に取得することができ、取得した原稿読み取り情報
と、少なくとも２つの原稿押さえの各接触面の反射率を用いて原稿読み取り情報を補正す
ることで、原稿の裏写りを精度良く抑制することができる。
【００１０】
第１の態様に係る原稿読み取り装置において、前記取得部は、前記読取部および前記原
稿押さえをそれぞれ少なくとも５つ備えていてもよい。この場合、反射率がそれぞれ異な
る少なくとも５つの接触面を背面にして読取部によりそれぞれ読み取られた原稿の原稿読
み取り情報と、各接触面の反射率とを用いて原稿読み取り情報を補正するため、原稿の裏
写りを精度良く抑制することができる。
【００１１】
第１の態様に係る原稿読み取り装置において、前記取得部は、原稿の読み取りを行う読
取部と、前記原稿の背面に配置され、前記原稿と接触する接触面の反射率を変更可能な原
稿押さえと、を備え、前記原稿読み取り情報は、前記読取部が異なる少なくとも２つの反
射率に設定された前記接触面に対向して原稿をそれぞれ読み取ることで取得された情報で
あってもよい。この場合、取得部は、それぞれ反射率の異なる原稿押さえを背面にした原
稿の原稿読み取り情報を容易に取得することができ、取得した原稿読み取り情報と、接触
面に設定された少なくとも２つの反射率を用いて原稿読み取り情報を補正することで、原
稿の裏写りを精度良く抑制することができる。
【００１２】
第１の態様に係る原稿読み取り装置において、前記補正部は、異なる少なくとも５つの
反射率に設定された前記接触面を背面にして読み取られた前記原稿の原稿読み取り情報と
、前記接触面に設定された前記少なくとも５つの反射率とを用いて、前記原稿読み取り情
報を補正してもよい。この場合、原稿を異なる少なくとも５つの反射率に設定された接触
面を背面にして読み取り、それぞれの原稿読み取り情報と、設定された接触面の反射率と
を用いて原稿読み取り情報を補正するため、原稿の裏写りを精度良く抑制することができ
る。
【００１３】
第１の態様に係る原稿読み取り装置において、前記原稿読み取り情報とは、原稿の画像
データであってもよい。この場合、反射率がそれぞれ異なる原稿押さえを背面にした原稿
の画像データと、原稿押さえの反射率とを用いて原稿の画像データを補正するため、原稿
の裏写りを精度良く抑制することができる。
【００１４】
本発明は、種々の態様で実現することが可能であり、例えば、スキャナー、プリンター
、デジタルスチルカメラ、パーソナルコンピューター、デジタルビデオカメラ等で実現す
ることができる。また、原稿読み取り方法や、画像処理方法および装置、これらの方法ま
たは装置の機能を実現するためのコンピュータープログラム、そのコンピュータープログ
ラムを記録した記録媒体、そのコンピュータープログラムを含み搬送波内に具現化された
データ信号、等の形態で実現することができる。
【図面の簡単な説明】
【００１５】
【図１】第１の実施例におけるスキャナーの概略構成を例示した説明図である。
【図２】第１の実施例におけるスキャナーの画像データ生成処理の流れを示すフローチャートである。
【図３】輝度値補正処理の流れを示したフローチャートである。
【図４】原稿輝度値の構成を説明するための説明図である。
【図５】補正輝度値の算出方法を説明するための説明図である。
【図６】第２の実施例におけるスキャナーの外観を例示した説明図である。
【図７】第２の実施例におけるスキャナーの概略構成を例示した説明図である。
【図８】第２の実施例におけるスキャナーの画像データ生成処理の流れを示すフローチャートである。
【図９】変形例１におけるスキャナーの概略構成を例示した説明図である。
【図１０】変形例２におけるスキャナーの概略構成を例示した説明図である。
【図１１】変形例３におけるスキャナーの画像データ生成処理の流れを示すフローチャートである。
【図１２】変形例６におけるスキャナーの外観を例示した説明図である。
【図１３】変形例６におけるスキャナーの概略構成を例示した説明図である。
【発明を実施するための形態】
【００１６】
以下、本発明に係る原稿読み取り装置の一態様であるスキャナーについて、図面を参照
しつつ、実施例に基づいて説明する。
【００１７】
Ａ．第１の実施例：
Ａ１．スキャナーの構成：
図１は、第１の実施例におけるスキャナーの概略構成を例示した説明図である。本実施
例のスキャナー１０は、読み取り対象物を光学的に読み取り、画像データを出力する原稿
読み取り装置である。スキャナー１０は、生成した画像データを対象とした画像処理を行
うことが可能であるという点で、画像処理装置としても機能する。本実施例のスキャナー
１０は、図示しない給紙口から原稿Ｍを装置内部に取り込み、ローラーによって原稿Ｍを
搬送しつつ読み取りをおこない、読み取った原稿Ｍを図示しない排紙口から排出する、い
わゆるシートフィード型のスキャナーである。スキャナー１０は、受光部１１０と、発光
部１２０と、原稿押さえ１３０と、ローラー１４０と、制御部２００と、を備える。
【００１８】
受光部１１０および発光部１２０は、原稿の搬送方向に沿った方向に一列に並んでそれ
ぞれ５つずつ（受光部１１０ａ、１１０ｂ、１１０ｃ、１１０ｄ、１１０ｅ、および、発
光部１２０ａ、１２０ｂ、１２０ｃ、１２０ｄ、１２０ｅ）配置され、１つの受光部１１
０に１つの発光部１２０が対応するようにそれぞれ配置されている。受光部１１０は、特
許請求の範囲における「読取部」に該当する。
【００１９】
受光部１１０は、ＣＣＤ（Charge Coupled Devices）などのイメージセンサーと、光を
イメージセンサー上に集めるレンズにより構成されている。本実施例では、原稿の搬送方
向と直交する方向の原稿幅と等しい長さのリニアＣＣＤ（Charge Coupled Devices）と、
ロッドレンズ（セルフォックスレンズ）との組み合わせによりＣＩＳ（Contact Image Se
nsor）として構成されている。発光部１２０は、例えば、ＬＥＤといった発光素子を備え
、原稿Ｍや原稿押さえ１３０などに光を照射する。
【００２０】
受光部１１０は、発光部１２０から照射された光の反射光を受光し、受光した光の強度
に応じた大きさの電圧を出力する。イメージセンサーから出力される電圧値（アナログ値
）は、制御部２００によりデジタル値に変換される。なお、本実施例に係るスキャナー１
０は、いわゆる密着型のスキャナーとして説明するが、ＣＣＤに原稿を縮小投影する縮小
光学系のスキャナーとしてもよい。また、受光部１１０を構成するイメージセンサーは、
ＣＣＤに限られず、例えば、ＣＭＯＳ撮像素子により構成されていてもよい。
【００２１】
原稿押さえ１３０は、原稿の搬送方向に沿って一列に並んで５つ（原稿押さえ１３０ａ
、１３０ｂ、１３０ｃ、１３０ｄ、１３０ｅ）配置されている。各原稿押さえ１３０ａ、
１３０ｂ、１３０ｃ、１３０ｄ、１３０ｅは、原稿Ｍを受光部１１０に接近もしくは接触
させるために、５つの受光部１１０ａ、１１０ｂ、１１０ｃ、１１０ｄ、１１０ｅとそれ
ぞれ対向している。各原稿押さえ１３０ａ、１３０ｂ、１３０ｃ、１３０ｄ、１３０ｅは
、それぞれ原稿Ｍと接触する接触面１３０ａｔ、１３０ｂｔ、１３０ｃｔ、１３０ｄｔ、
１３０ｅｔ（まとめて単に、接触面１３０ｔとも呼ぶ）を備えている。各接触面１３０ａ
ｔ、１３０ｂｔ、１３０ｃｔ、１３０ｄｔ、１３０ｅｔは互いに反射率が異なるように設
定されている。ローラー１４０は、図示しないモーターの駆動により、原稿Ｍが受光部１
１０と原稿押さえ１３０との間を通過するように原稿Ｍを搬送する。受光部１１０、発光
部１２０、および、原稿押さえ１３０さえは、特許請求の範囲における「取得部」を構成
する。
【００２２】
制御部２００は、ＲＯＭ、ＲＡＭ、ＣＰＵからなる汎用コンピュータ、および、ＡＦＥ
(Analog Front End)や画像処理チップなどの図示しない専用処理回路を備え、スキャナー
１０の全体の動作を制御する。図１に示すように制御部２００は、汎用コンピュータおよ
び専用処理回路により実現される機能ブロックとして、受光部１１０を制御する受光制御
部２１０と、発光部１２０を制御する光源制御部２２０と、ローラー１４０を制御する移
動制御部２３０と、画像処理部２４０と、を含んでいる。画像処理部２４０は、補正部２
４１を含んでいる。
【００２３】
画像処理部２４０はイメージセンサーから出力される電気信号を受け付ける。画像処理
部２４０は、受け付けた電気信号に対して、ノイズ除去、増幅、Ａ／Ｄ変換、デジタル画
像処理などを施して、デジタルの画像データを生成する。補正部２４１は、後述する輝度
値補正処理において、画像データを構成する各画素の輝度値を補正する。輝度値補正処理
は、画像データにおいて原稿の裏写りを抑制するための処理であり、後に詳述する。
【００２４】
制御部２００は、ＲＯＭやＲＡＭなどの記憶装置に、生成された画像データ等を記憶す
る。制御部２００は、他に、ユーザからの操作を受け付ける入力部など各種機能を含んで
いるが、これらについては省略する。
【００２５】
Ａ２．スキャナーの動作：
図２を参照して、スキャナー１０による画像データ生成処理について説明する。図２は
、第１の実施例におけるスキャナーの画像データ生成処理の流れを示すフローチャートで
ある。画像データ生成処理は、原稿Ｍを読み取り、画像データを生成する処理である。画
像データ生成処理は、制御部２００が、操作パネルまたは接続された計算機を介して画像
データ生成指示を受け付けたときに開始される。
【００２６】
制御部２００は、接触面１３０ｔの読み取りをおこなう（ステップＳ１００）。具体的
には、光源制御部２２０は、発光部１２０を制御してＬＥＤを点灯させ、接触面１３０ｔ
に光を投射する。受光制御部２１０は、受光部１１０を制御して、接触面１３０ｔに投射
された光の反射光を受光し、各接触面１３０ａｔ、１３０ｂｔ、１３０ｃｔ、１３０ｄｔ
、１３０ｅｔのそれぞれの反射輝度値である接触面輝度値（Ｖｔａ、Ｖｔｂ、Ｖｔｃ、Ｖ
ｔｄ、Ｖｔｅ）を取得する。なお、本実施例において、輝度値とは、光を受光したイメー
ジセンサーが出力する電圧値（アナログ値）をＡ／Ｄ変換したデジタル値を指す。制御部
２００は、取得した接触面輝度値Ｖｔａ、Ｖｔｂ、Ｖｔｃ、Ｖｔｄ、ＶｔｅをＲＡＭに記
憶する。
【００２７】
接触面１３０ｔを読み取った後、制御部２００は、原稿Ｍの読み取りをおこなう（ステ
ップＳ１１０）。具体的には、移動制御部２３０は、ローラー１４０を制御して、原稿Ｍ
を受光部１１０と原稿押さえ１３０との間に搬送する。光源制御部２２０は、発光部１２
０を制御してＬＥＤを点灯させ、原稿Ｍに光を投射する。受光制御部２１０は、受光部１
１０を制御して、原稿Ｍに投射された光の反射光を受光し、原稿Ｍの反射輝度値を取得す
る。受光制御部２１０は、原稿Ｍにおいて、画像データを構成する各画素と対応する領域
ごとの反射輝度値を取得する。ステップＳ１１０では、画像データを構成する各画素と対
応する領域のうち、原稿Ｍの搬送方向と直交する方向の１ライン分の領域のそれぞれの反
射輝度値を取得する。
【００２８】
原稿Ｍの読み取りは、５つの受光部１１０ａ、１１０ｂ、１１０ｃ、１１０ｄ、１１０
ｅそれぞれによりおこなわれるため、原稿Ｍの１つの領域（画素）に対しても、各接触面
１３０ａｔ、１３０ｂｔ、１３０ｃｔ、１３０ｄｔ、１３０ｅｔを背面にした５つの反射
輝度値（以後、原稿輝度値Ｖｍａ、Ｖｍｂ、Ｖｍｃ、Ｖｍｄ、Ｖｍｅと呼ぶ）が取得され
る。本実施例において、原稿の反射輝度値は、特許請求の範囲における「原稿読み取り情
報」に該当する。この原稿の反射輝度値は、原稿全体の画像データを構成する各画素の画
素値に対応するため、広義の意味で画像データといえる。
【００２９】
なお、５つの受光部１１０ａ、１１０ｂ、１１０ｃ、１１０ｄ、１１０ｅは、それぞれ
取付位置が異なるため、読み取り時の原稿Ｍの搬送速度と、各受光部間の距離と、を用い
ることで、５つの受光部１１０ａ、１１０ｂ、１１０ｃ、１１０ｄ、１１０ｅのそれぞれ
が読み取った原稿Ｍの同一の領域（画素）に対する各原稿輝度値を対応付けている。制御
部２００は、原稿Ｍの各画素と対応する領域ごとの原稿輝度値Ｖｍａ、Ｖｍｂ、Ｖｍｃ、
Ｖｍｄ、ＶｍｅをＲＡＭに記憶する。
【００３０】
補正部２４１は、輝度値補正処理をおこなう。図３は、輝度値補正処理の流れを示した
フローチャートである。輝度値補正処理は、原稿Ｍの各画素と対応する領域ごとに、原稿
輝度値Ｖｍａ、Ｖｍｂ、Ｖｍｃ、Ｖｍｄ、Ｖｍｅと、接触面輝度値Ｖｔａ、Ｖｔｂ、Ｖｔ
ｃ、Ｖｔｄ、Ｖｔｅと、を用いて、裏写りがない状態の原稿輝度値を算出して、読み取っ
た原稿輝度値を補正する処理である。
【００３１】
補正部２４１は、まず、補正輝度値Ｖ’ｍを算出する。（ステップＳ２００）。補正輝
度値Ｖ’ｍは、補正部２４１により補正された後の原稿輝度値となる値であり、原稿Ｍの
画像データを構成する各画素において、裏写のない理想的な状態において取得される原稿
輝度値である。補正輝度値Ｖ’ｍの算出方法、および、算出根拠について以下に説明する
。
【００３２】
図４は、原稿輝度値の構成を説明するための説明図である。図４に示すように、紙面の
両面に文字や図形等が印刷されている原稿Ｍは、紙等の台紙層Ｍｍと、台紙層Ｍｍの表面
に文字等を現すための顔料により形成される表面印字層Ｍｆと、台紙層Ｍｍの背面に顔料
により形成される背面印字層Ｍｂと、を備えている。このとき、受光部１１０が検出する
反射光には、表面印字層Ｍｆで反射した表面印字層反射光Ｌ１のほか、表面印字層Ｍｆや
台紙層Ｍｍを透過して背面印字層Ｍｂで反射した背面印字層反射光Ｌ２や、原稿Ｍを透過
して接触面１３０ｔで反射した接触面反射光Ｌ３などの成分が含まれている。これにより
、読み取られた原稿Ｍの画像には、背面印字層Ｍｂや、接触面１３０ｔの模様などが映り
こんでいる。そのため、取得した原稿輝度値から、表面印字層反射光Ｌ１以外の反射光の
影響を削除することにより、裏写りのない原稿輝度値を取得することができる。
【００３３】
図５は、補正輝度値の算出方法を説明するための説明図である。図５では、説明のため
に原稿Ｍの台紙層Ｍｍ、表面印字層Ｍｆおよび背面印字層Ｍｂを分離して表している。図
５に示すように、表面印字層Ｍｆの反射率をａ1、透過率をｂ1、表面側（図５の上方側）
からの入射光量を１（イチ）、裏面側（図５の下方側）からの入射光量をｌとする。また
、台紙層Ｍｍの反射率をａ2、透過率をｂ2、表面側からの入射光量をｍ、裏面側からの入
射光量をｎとする。また、背面印字層Ｍｂの反射率をａ3、透過率をｂ3、表面側からの入
射光量をｏ、裏面側からの入射光量をｐとする。また、接触面１３０ｔの反射率をａ4、
透過率を０（ゼロ）、表面側からの入射光量をｑ、裏面側からの入射光量を０（ゼロ）と
する。このとき、イメージセンサーが読み取る原稿輝度値をｘとすると、下記の連立方程
式（１）が成り立つ。
【００３４】
【数１】
2011040857.tif 000003
【００３５】
このとき、原稿の台紙が十分に厚く、台紙層Ｍｍの透過率ｂ2＝０であったと仮定した
場合の原稿輝度値をｘ0とすると、下記の式（２）が成り立つ。
【００３６】
【数２】
2011040857.tif 000004
【００３７】
ｘ0は、裏写りの成分はなく、台紙が均一であれば、表面側の反射率、すなわち表面印
字層Ｍｆの反射率ａ1や台紙層Ｍｍの反射率ａ2に比例する。さらに、ｘ0を用いてｘを求
めると下記の式（３）のようになる。
【００３８】
【数３】
2011040857.tif 000005
【００３９】
ただし、Ｃ、Ｄ、Ｅ、Ｆはそれぞれ以下の式（４）が成り立つ。
【００４０】
【数４】
2011040857.tif 000006
【００４１】
この式は、５つの未知数（ｘ0、Ｃ、Ｄ、Ｅ、Ｆ）をもった方程式であるため、原稿の
ある領域についてｘとａ4とのペアが５組得られれば、連立方程式からｘ0を求めることが
できる。すなわち、ｘを読み取った原稿輝度値Ｖｍとし、ｘ0を補正輝度値Ｖ’ｍとする
と、５つの原稿輝度値Ｖｍａ、Ｖｍｂ、Ｖｍｃ、Ｖｍｄ、Ｖｍｅと、接触面輝度値Ｖｔａ
、Ｖｔｂ、Ｖｔｃ、Ｖｔｄ、Ｖｔｅにより、補正輝度値Ｖ’ｍの値を算出することができ
る。なお、接触面１３０ｔの反射率ａ4は、接触面輝度値を発光部１２０の投射輝度値で
割ることにより算出することができる。
【００４２】
図３に戻り、補正部２４１は、原稿輝度値の補正をおこなう（ステップＳ２１０）具体
的には、原稿Ｍの読み取りにより取得した原稿輝度値Ｖｍを、算出した補正輝度値Ｖ’ｍ
となるように補正する。これにより、原稿Ｍの各画素と対応する領域ごとに、裏写りがな
い状態における原稿輝度値に修正される。なお、この補正の前後に、シェーディング補正
やγ補正がおこなわれてもよい。以上により、輝度値補正処理が終了する。
【００４３】
図２に戻り、制御部２００は、原稿の全体の読み取りが完了していない場合（ステップ
Ｓ１３０：ＮＯ）、原稿Ｍの１ライン分の領域の反射輝度値の取得（ステップＳ１１０）
と、輝度値補正処理とを繰り返す（ステップＳ１２０）。原稿Ｍの全体の読み取りが完了
すると（ステップＳ１３０：ＹＥＳ）、原稿Ｍの裏写りがない状態の画像データが生成さ
れる（ステップＳ１４０）。なお、画像処理部２４０は、生成した原稿Ｍの画像データに
対し、エッジ強調や彩度調整などの画像処理をおこなってもよい。
【００４４】
以上説明した第１の実施例に係るスキャナー１０によれば、反射率がそれぞれ異なる原
稿押さえを背面にした原稿の原稿読み取り情報と、原稿押さえの反射率とを用いて原稿の
原稿読み取り情報を補正するため、原稿の裏写りを精度良く抑制することができる。具体
的には、反射率がそれぞれ異なる原稿押さえを背面にして取得した原稿輝度値Ｖｍと、各
接触面の接触面輝度値Ｖｔから、各接触面の反射率を算出することにより、式（３）を用
いて、原稿の裏写りのない理想的な状態において取得される原稿輝度値を算出できるため
、裏写りのない原稿Ｍの画像データを生成することができる。
【００４５】
なお、従来から提案されているように、接触面を黒にして接触面の反射率を０にして原
稿の読み取りをおこなう方法では、式（３）において、ａ4＝０となるため、式（５）が
成り立つ。
【００４６】
【数５】
2011040857.tif 000007
【００４７】
すなわち、接触面の反射率が０であっても、原稿輝度値は、原稿の裏写りのない理想的
な状態において取得される原稿輝度値とは異なる。これは、接触面まで到達せずに背面印
字層Ｍｂで反射した光の成分が読み取った原稿Ｍの原稿輝度値に含まれるためである。こ
のことから、本発明は、従来技術により原稿の裏写りを抑制した場合に比べて裏写りを抑
制する精度が高いといえる。
【００４８】
第１の実施例に係るスキャナー１０は、原稿の搬送方向に並んで配置され、それぞれが
原稿の読み取りを行う２以上の読取部と、各読取部にそれぞれ対向する位置に配置され、
原稿と接触する接触面の反射率がそれぞれ異なる２以上の原稿押さえと、を備えているた
め、それぞれ反射率の異なる原稿押さえを背面にした原稿の原稿輝度値Ｖｍを容易に取得
することができる。具体的には、それぞれの読取部に反射率の異なる原稿押さえが対向し
て配置されているため、原稿を読み取る都度、異なる反射率の原稿押さえに取り替える必
要がなく、原稿が各読取部を一度通過するのみで、反射率の異なる原稿押さえを背面にし
た原稿の各原稿輝度値Ｖｍを取得することができる。
【００４９】
第１の実施例に係るスキャナー１０によれば、読取部および原稿押さえをそれぞれ５つ
備えているため、原稿の裏写りを精度良く抑制することができる。具体的には、式（３）
は、５つの未知数（ｘ0、Ｃ、Ｄ、Ｅ、Ｆ）をもっているため、原稿の裏写りのない理想
的な状態において取得される原稿輝度値と等しいｘ0を算出するためには、原稿のある領
域についてｘとａ4とのペアが５組必要となる。読取部および原稿押さえをそれぞれ５つ
備えることで、５つの原稿輝度値Ｖｍａ、Ｖｍｂ、Ｖｍｃ、Ｖｍｄ、Ｖｍｅと、接触面輝
度値Ｖｔａ、Ｖｔｂ、Ｖｔｃ、Ｖｔｄ、Ｖｔｅを取得することができ、ｘ0を求めること
が可能となる。
【００５０】
Ｂ．第２の実施例：
Ｂ１．スキャナーの構成：
第１の実施例では、シートフィード型のスキャナーについて説明したが、第２の実施例
では、フラットベッド型のスキャナーについて説明する。第２の実施例において、第１の
実施例と同じ符号を付した構成部分については、第１の実施例と同様の機能等を有してい
るため説明を省略する。
【００５１】
図６は、第２の実施例におけるスキャナーの外観を例示した説明図である。図６に示す
ように、スキャナー３０は、受光部１１０や発光部１２０などの内部機構を収納するケー
ス３１と、ケース３１の上面に配置された原稿載置板３４と、ケース３１にヒンジ３３を
介して回動可能に取り付けられた原稿押さえ３２と、を備える。原稿押さえ３２の原稿載
置板３４に対向する側の面には、反射率が変更可能な液晶パネル３４０が配置されている
。スキャナー３０は、原稿載置板３４の上に原稿を載せ、原稿押さえ３２によって原稿を
上から押しつけることにより、液晶パネル３４０を原稿の背面に接触させた状態で原稿の
読み取りをおこなう。すなわち、スキャナー３０は、液晶パネル３４０の反射率を変更す
ることにより、原稿の背面の反射率を変えて原稿の読み取りをおこなうことができる。本
実施例において、液晶パネルは、特許請求の範囲における「接触面」に該当する。
【００５２】
図７は、第２の実施例におけるスキャナーの概略構成を例示した説明図である。ケース
３１には、原稿載置板３４に配置された原稿Ｍを読み取るキャリッジ３００と、駆動モー
ター３５０と、プーリ３５１と、駆動モーター３５０とプーリ３５１との間に架設された
ベルト３５２と、ガイド軸３３０と、制御部２００とを備えている。
【００５３】
キャリッジ３００は、発光部３２０と、ミラー３２１と、レンズ３２２と、受光部３１
０とを備える。発光部３２０は、ＬＥＤといった発光素子を備え、原稿Ｍに光を照射する
。発光部３２０から照射されて原稿Ｍで反射した反射光は、ミラー３２１およびレンズ３
２２を介して受光部１１０に照射される。受光部３１０は、第１の実施例と同様にリニア
ＣＣＤを備えている。なお、本実施例に係るスキャナー３０は、ＣＣＤに原稿を縮小投影
する縮小光学系のスキャナーとして説明するが、密着型のスキャナーとしてもよい。また
、受光部３１０を構成するイメージセンサーは、ＣＣＤに限られず、例えば、ＣＭＯＳ撮
像素子により構成されていてもよい。
【００５４】
キャリッジ３００は、ガイド軸３３０に摺動可能に取り付けられている。キャリッジ３
００は、ベルト３５２が駆動モーター３５０によって駆動されるのに伴って、ガイド軸３
３０の軸方向に往復動する。制御部２００は、第１の実施例と同様の機能部を備える。移
動制御部２３０は、キャリッジ３００の往復動を制御する。また、制御部２００は、液晶
パネル３４０の反射率を制御する。
【００５５】
Ｂ２．スキャナーの動作：
図８を参照して、スキャナー３０による画像データ生成処理について説明する。図８は
、第２の実施例におけるスキャナーの画像データ生成処理の流れを示すフローチャートで
ある。
【００５６】
制御部２００は、液晶パネル３４０の反射率を設定する（ステップＳ３００）。具体的
には、制御部２００は、予め設定された複数の反射率についての情報を保持し、設定され
た複数の反射率のうちの１つの反射率となるように液晶パネル３４０を制御する。本実施
例では、制御部２００は、異なる５つの反射率についての情報を保持している。
【００５７】
制御部２００は、原稿Ｍの読み取りをおこなう（ステップＳ３１０）。具体的には、制
御部２００は、キャリッジ３００の往復動を制御して、原稿Ｍ上を走査することにより原
稿Ｍの反射輝度値を取得する。第１実施例と同様に、制御部２００は、原稿Ｍにおいて、
画像データを構成する各画素と対応する領域ごとの反射輝度値を取得する。
【００５８】
原稿の読み取りは、原稿Ｍの全体の読み取りが完了するまで継続される（ステップＳ３
２０：ＮＯ）。原稿Ｍの全体の読み取りが完了すると（ステップＳ３２０：ＹＥＳ）、制
御部２００は、設定されたすべての反射率に液晶パネル３４０を設定して原稿Ｍの読み取
りをおこなったか否かを判定する（ステップＳ３３０）。制御部２００は、すべての反射
率において原稿Ｍの読み取りをおこなっていない場合には（ステップＳ３３０：ＮＯ）、
設定された反射率のうち、まだ原稿Ｍの読み取りに用いられていない反射率となるように
液晶パネル３４０を制御し（ステップＳ３００）、設定された液晶パネル３４０を背面に
した原稿Ｍの読み取りをおこなう（ステップＳ３１０）。
【００５９】
制御部２００は、すべての反射率において原稿Ｍの読み取りをおこなった場合には（ス
テップＳ３３０：ＹＥＳ）、輝度値補正処理をおこなう。輝度値補正処理については、第
１の実施例と同様であるため、説明を省略する。なお、輝度値補正処理に用いられる接触
面の反射率は、予め保持されている反射率についての情報を用いる。輝度値補正処理によ
り、原稿Ｍの裏写りがない状態の画像データが生成される（ステップＳ３５０）。なお、
画像処理部２４０は、生成した原稿Ｍの画像データに対し、エッジ強調や彩度調整などの
画像処理をおこなってもよい。
【００６０】
以上説明した第２の実施例に係るスキャナー３０によれば、本発明は、シートフィード
型のスキャナーに限られず、例えば、フラットベッド型のスキャナーであっても実現する
ことができる。また、本発明は、受光部もしくは発光部が２以上備えていなくても実現す
ることができる。
【００６１】
第２の実施例に係るスキャナー３０によれば、原稿の読み取りを行う読取部と、原稿の
背面に配置され、原稿と接触する接触面の反射率を変更可能な原稿押さえと、を備えてい
るため、それぞれ反射率の異なる原稿押さえを背面にした原稿の原稿輝度値Ｖｍを容易に
取得することができる。具体的には、液晶パネルを制御することにより原稿の背面の反射
率を変えることができるため、原稿を読み取る都度、異なる反射率の原稿押さえに取り替
える必要がなく、キャリッジ３００による同様の読み取り動作の繰り返しによって、反射
率の異なる原稿押さえを背面にした原稿の各原稿輝度値Ｖｍを取得することができる。液
晶パネルの他、ハーフミラーデバイスなどで反射率を変えてもよい。
【００６２】
第２の実施例に係るスキャナー３０によれば、補正部は、異なる５つの反射率に設定さ
れた接触面を背面にして読み取られた原稿の原稿輝度値Ｖｍと、接触面の設定された５つ
の反射率とを用いて、原稿輝度値Ｖｍを補正するため、原稿の裏写りを精度良く抑制する
ことができる。具体的には、式（３）は、５つの未知数（ｘ0、Ｃ、Ｄ、Ｅ、Ｆ）をもっ
ているため、原稿の裏写りのない理想的な状態において取得される原稿輝度値と等しいｘ
0を算出するためには、原稿のある領域についてｘとａ4とのペアが５組必要となる。異な
る５つの反射率に設定された接触面を背面とした原稿をそれぞれ読み取ることで、５つの
原稿輝度値を取得することができ、５つの原稿輝度値と５つの接触面輝度値とを用いるこ
とにより、ｘ0を求めることができる。
ここでは、式（３）により、５つの未知数（ｘ0、Ｃ、Ｄ、Ｅ、Ｆ）をもっているため
、それらを求めるため、５つの反射率の接触面の読み取りが必要であった。式において、
ノイズ等の外的な影響がある場合等で、未知数がもっと多いときは、５つ以上の反射率の
接触面の読み取りでもよい、また、式が近似できる場合や、既知の数がある場合、５つで
なく、２つ以上の反射率の接触面の読み取りで、未知数を求めることもできる。
【００６３】
Ｃ．変形例：
なお、この発明は上記の実施例や実施形態に限られるものではなく、その要旨を逸脱し
ない範囲において種々の態様において実施することが可能であり、例えば次のような変形
も可能である。
【００６４】
Ｃ１．変形例１：
図９は、変形例１におけるスキャナーの概略構成を例示した説明図である。第１の実施
例係るスキャナー１０は、５つの受光部１１０ａ、１１０ｂ、１１０ｃ、１１０ｄ、１１
０ｅと、５つの原稿押さえ１３０ａ、１３０ｂ、１３０ｃ、１３０ｄ、１３０ｅを備えて
いたが、シートフィード型のスキャナーであっても、図９に示すように、受光部１１０お
よび原稿押さえ１３０がそれぞれ２以上備えていれば、原稿の裏写りを精度良く抑制する
ことができる。具体的には、式（３）において、接触面１３０ｔの反射率をａ4が十分に
小さい場合には式（６）が成り立つ。
【００６５】
【数６】
2011040857.tif 000008
【００６６】
この場合、４つの未知数（ｘ0、Ｃ、Ｅ、Ｆ）をもった方程式となるため、原稿のある
領域についてｘとａ4とのペアが４組得られれば、連立方程式からｘ0を求めることができ
る。すなわち、４つの受光部１１０および発光部１２０により、構成することができる。
【００６７】
また、受光部１１０および発光部１２０がそれぞれ２以上あれば、式（３）の右辺のｘ
0以外の部分とａ4との相関関係を適宜近似することにより、２以上の原稿輝度値と接触面
輝度値からｘ0を求めることができる。
【００６８】
また、原稿Ｍがモノクロ画像であり、使用されている顔料と台紙の透過率と反射率がＲ
ＧＢの光源によらず一定である場合、イメージセンサーをＲＧＢのカラーセンサーを用い
た上で接触面１３０ｔの反射率をＲＧＢで変化するように設定すれば、１組の受光部１１
０および発光部１２０によりｘとａ4とのペアが３組得ることができる。この場合、受光
部１１０および発光部１２０がそれぞれ２つあれば、ｘとａ4とのペアが６組得ることが
できる。
【００６９】
Ｃ２．変形例２：
図１０は、変形例２におけるスキャナーの概略構成を例示した説明図である。第１の実
施例の原稿押さえ１３０は、平らな接触面１３０ｔを備えているが、原稿押さえは、必ず
しも平らな接触面を備えていなくてもよい。例えば、図１０に示すように、原稿押さえが
、ローラー１５０により形成されていてもよい。この場合、ローラー１５０と原稿Ｍとの
接触する領域が接触面１５０ｔとなる。
【００７０】
Ｃ３．変形例３：
図１１は、変形例３におけるスキャナーの画像データ生成処理の流れを示すフローチャ
ートである。第１の実施例係るスキャナー１０は、図２に示すように、ステップＳ１１０
において、原稿Ｍの搬送方向と直交する方向の１ライン分の領域の反射輝度値を取得し、
取得した都度、ステップＳ１２０において、輝度値補正処理をおこなっているが、図１１
に示すように、原稿全体の読み取りをおこない（ステップＳ４１０）、画像データを生成
（ステップＳ４２０）した後に、輝度値補正処理（ステップＳ４３０）をおこない、画像
データを構成する各画素の画素値を補正する態様としても良い。この場合、原稿全体の画
像データが、特許請求の範囲における「原稿読み取り情報」に該当する。なお、画素値と
は、輝度値であっても良いし、ＲＧＢの階調値であってもよい。
【００７１】
Ｃ４．変形例４：
第１の実施例係るスキャナー１０は、原稿Ｍの読み取り前に接触面１３０ｔの読み取り
をおこなっているが、接触面１３０ｔの読み取りは、原稿Ｍの読み取り後におこなわれて
もよいし、原稿Ｍの読み取り前と読み取り後にそれぞれおこなわれてもよい。この場合に
おいて、原稿Ｍの読み取り前に取得した接触面輝度値と、原稿Ｍの読み取り後に取得した
接触面輝度値のそれぞれから算出した接触面の反射率が同じである場合には、原稿Ｍの読
み取り時においても接触面の反射率が一定であったと見なすことができるため、裏写りを
より精度良く抑制することができる。
【００７２】
また、本実施例では、図２に示すように、スキャナー１０は、接触面１３０ｔを読み取
り（ステップＳ１００）、取得した接触面輝度値から接触面１３０ｔの反射率を算出して
いるが、スキャナー１０は、予め記録されている接触面１３０ｔの反射率を用いる態様で
あってもよい。この場合、接触面１３０ｔの読み取りをおこなわなくても輝度値補正処理
をおこなうことができる。
【００７３】
Ｃ５．変形例５：
図１２は、変形例６におけるスキャナーの外観を例示した説明図である。図１３は、変
形例６におけるスキャナーの概略構成を例示した説明図である。第２の実施例係るスキャ
ナー３０は、原稿押さえの接触面に液晶パネル３４０を用いていたが、原稿押さえは、接
触面の反射率を変化させることができれば、液晶パネル３４０を用いない態様であっても
よい。例えば、図１２に示すように、スキャナー３０は、接触面がフィルム３６１などに
より形成され、フィルム３６１を黒矢印の方向に移動させることによって接触面の反射率
が変更可能となるベルト機構部３６０を備えていてもよい。具体的には、図１３に示すよ
うに、ベルト機構部３６０は、軸部３６２に架設されたベルト状のフィルム３６１を図示
しない駆動モーターにより白矢印の方向に駆動させることにより、接触面の反射率を変更
させることができる。なお、フィルム３６１は、軸部３６２に巻き取られる態様であって
もよい。
【００７４】
Ｃ６．変形例６：
本実施例に係るスキャナー１０は、上記実施例において、ハードウェアによって実現さ
れていた構成の一部をソフトウェアに置き換えるようにしてもよく、逆に、ソフトウェア
によって実現されていた構成の一部をハードウェアに置き換えるようにしてもよい。
【００７５】
Ｃ７．変形例７：
本発明は、スキャナーのほか、プリンター、デジタルスチルカメラ、パーソナルコンピ
ューター、デジタルビデオカメラ等で実現することができる。また、原稿読み取り方法や
、画像処理方法および装置、これらの方法または装置の機能を実現するためのコンピュー
タープログラム、そのコンピュータープログラムを記録した記録媒体、そのコンピュータ
ープログラムを含み搬送波内に具現化されたデータ信号、等の形態で実現することができ
る。
【符号の説明】
【００７６】
１０、３０…スキャナー
３１…ケース
３２、１３０…原稿押さえ
３３…ヒンジ
３４…原稿載置板
１１０、３１０…受光部
１２０、３２０…発光部
１３０ｔ…接触面
１４０、１５０…ローラー
２００…制御部
２１０…受光制御部
２２０…光源制御部
２３０…移動制御部
２４０…画像処理部
２４１…補正部
３００…キャリッジ
３２１…ミラー
３２２…レンズ
３３０…ガイド軸
３４０…液晶パネル
３５０…駆動モーター
３５１…プーリ
３５２…ベルト
３６０…ベルト機構部
３６１…フィルム
３６２…軸部
Ｍ…原稿
Ｌ１…表面印字層反射光
Ｌ２…背面印字層反射光
Ｌ３…接触面反射光
Ｍｂ…背面印字層
Ｍｆ…表面印字層
Ｍｍ…台紙層
【図１】
2011040857.tif 000009
【図２】
2011040857.tif 000010
【図３】
2011040857.tif 000011
【図４】
2011040857.tif 000012
【図５】
2011040857.tif 000013
【図６】
2011040857.tif 000014
【図７】
2011040857.tif 000015
【図８】
2011040857.tif 000016
【図９】
2011040857.tif 000017
【図１０】
2011040857.tif 000018
【図１１】
2011040857.tif 000019
【図１２】
2011040857.tif 000020
【図１３】
2011040857.tif 000021